(57)【要約】      （修正有）【課題】金属製の管継手に、合成樹脂材質の水道管がより堅固でありながら安定的に結合及び固定されることができるようにして、管内部を流れる流体の内部圧力によって合成樹脂材質の水道管が金属製の管継手から抜けて離脱されるのを持続的に防止できる水道管の連結方法を提供する。【解決手段】ゴムリング１１０及びガスケット１２０と共に具備され、クランプ３００の締付力によって金属材質の管継手に挿入された合成樹脂材質の水道管を固定するストッパーが具備されるにおいて、前記ストッパーを水道管と同一な合成樹脂の材質で形成し、前記ストッパーの内側面に同一材質の水道管を接着剤で固定することによって、管の内部を流れる流体の内部圧力に対して、より堅固に水道管を管継手に結合及び固定させることができるだけでなく、これによって連結管の耐久性向上と持続性及び安定性を確保することができる。【選択図】図４
2009156463.tif 000002
【特許請求の範囲】
【請求項１】
ゴムリング及びガスケットと共に具備され、クランプの締付力によって金属材質の管継手に挿入された合成樹脂材質の水道管を固定するストッパーが具備されるにおいて、
前記ストッパーを水道管と同一な合成樹脂の材質で形成し、前記ストッパーの内側面に同一材質の水道管を接着剤で固定するようにすることを特徴とするストッパーを利用した水道管の連結方法。
【請求項２】
前記ストッパーの内側面に接着される水道管の接着部位に、サンドペーパーによる粗面が形成されるようにすることを特徴とする請求項１に記載のストッパーを利用した水道管の連結方法。
【請求項３】
前記ストッパーは、一側に開放部を有し、水道管より多少小さな直径で形成され、内側の周縁部に沿って接着剤誘導溝を有する多数の接着突起が形成されていることを特徴とする請求項１に記載のストッパーを利用した水道管の連結方法。
【請求項４】
前記接着突起は、山の形態の断面で形成され、山部と山部の間の谷部で接着剤誘導溝を形成していることを特徴とする請求項３に記載のストッパーを利用した水道管の連結方法。
【請求項５】
前記ストッパーには、接着突起に対して直角を成す方向に接着剤誘導溝と連通する多数のエアー通路が内側の周縁部に間隔をおいて多数形成されていることを特徴とする請求項３または４に記載のストッパーを利用した水道管の連結方法。
【請求項６】
前記ストッパーには、同一直径の拡大接着面が一側方向に延長形成されていることを特徴とする請求項５に記載のストッパーを利用した水道管の連結方法。
【請求項７】
クランプの締付力によって金属材質の管継手に挿入された合成樹脂材質の水道管を固定するストッパーが具備されるにおいて、
前記ストッパーをゴム材質で形成し、前記ストッパーの内側面に合成樹脂材質の水道管を接着剤で固定し、一側に管継手に挿入される同一直径の密閉部を一体に延長形成して、前記密閉部によって管継手と水道管の間の水密と気密機能を有するようにすることを特徴とするストッパーを利用した水道管の連結方法。
【請求項８】
前記ストッパーの内側面に接着される水道管の接着部位に、サンドペーパーによる粗面が形成されるようにすることを特徴とする請求項７に記載のストッパーを利用した水道管の連結方法。
【請求項９】
前記ストッパーは、一側に開放部を有し、水道管より多少小さな直径で形成され、内側の周縁部に沿って接着剤誘導溝を有する多数の接着突起が形成されていることを特徴とする請求項７に記載のストッパーを利用した水道管の連結方法。
【請求項１０】
前記接着突起は、山の形態の断面で形成され、山部と山部の間の谷部で接着剤誘導溝を形成していることを特徴とする請求項７に記載のストッパーを利用した水道管の連結方法。
【請求項１１】
前記ストッパーには、接着突起に対して直角を成す方向に接着剤誘導溝と連通する多数のエアー通路が内側の周縁部に間隔をおいて多数形成されていることを特徴とする請求項９または１０に記載のストッパーを利用した水道管の連結方法。
【請求項１２】
前記ストッパーには、同一直径の拡大接着面が密閉部の他側方向に延長形成されていることを特徴とする請求項１１に記載のストッパーを利用した水道管の連結方法。
【発明の詳細な説明】
【技術分野】
【０００１】
本発明は、ストッパーを利用した水道管の連結方法に関するもので、より詳細には、合成樹脂のコーティングされた金属製の管継手に、合成樹脂材質の水道管がより堅固でありながら安定的に結合及び固定され得るようにして、管の内部を流れる流体の内部圧力によって合成樹脂材質の水道管が金属製の管継手から抜けて離脱されるのを持続的に防止できるようにした、ストッパーを利用した水道管の連結方法に関するものである。
【背景技術】
【０００２】
一般的に管継手は、配管時に管たちをお互い流体が漏れないように連結する部品で、通常管継手の両端にネジを切削して管を締結するようになっているが、地下に埋め立てられる大口径の上・下水道管の場合は、管にネジを切削するのが難しくて、押輪などのような別途の管連結装置を利用してお互いを連結しており、この時管の内部を流れる流体の漏洩防止及び圧力に耐えられなければならない。
【０００３】
このような管継手は、主に鋳鉄などの金属材質から形成され、水道管も金属材質の管を使用しているが、近来は、水道管が重量体となって運搬上の問題が生じ、かつ腐食などのいろいろな理由と合成樹脂管の発展によって、金属材質の水道管のかわりに合成樹脂の材質から成った水道管を使用している実情である。
【０００４】
図１は、一般的な水道管の連結状態を示した概略図で、図２及び図３は、従来のストッパーを利用した水道管の連結状態を示した断面図である。
【０００５】
ここに図示されているように、従来は外面が合成樹脂でコーティングされた金属材質の管継手１００が具備され、前記管継手１００に連結される合成樹脂材質の水道管２００が具備され、前記水道管２００は、クランプ３００によって管継手１００に結合されるのだが、前記管継手１００と水道管２００の間の水密性及び気密性確保のために管継手１００の内部にはゴムリング１１０と環形のガスケット１２０が具備される。
【０００６】
また、前記クランプ３００は、中央部に水道管２００が挿入貫通する水道管挿入ホール３１０Aが形成され、外郭には多数の締結孔３１０Bを有するクランプ胴体３１０と、前記締結孔３１０Bに挿入されてナットで締結及び固定される固定ボルト３１１Aが一体に形成され、管継手１００のフランジ部１００Aに引っ掛かって固定される固定段部３１１と、前記クランプ胴体３１０の水道管挿入ホール３１０Aに挿入され、内側面に形成されたスパイク１３２で合成樹脂の材質から形成された水道管２００の外側面と直接噛み合って固定するストッパー１３０とから成っている。
【０００７】
そして、前記ストッパー１３０のスパイク１３２は、管継手１００に対する水道管２００の挿入は容易でありながら、管の内部を流れる流体の圧力によって管継手１００から水道管２００が抜けて離脱されないように、挿入方向に対して挿入傾斜面１３２Aを成し、その端部が垂直固定面１３２Bを形成した構造になっている。
【０００８】
これと共に、前記管継手１００は、流体の流れに対向する方向に傾斜接触面１００Cを有するリング挿入溝１００Bを含み、前記クランプ胴体３１０の水道管挿入ホール３１０Aは、流体の流れの方向にテーパー３１２Aの形成されたストッパー挿入溝３１２を含む。
【０００９】
これによって、ゴムリング１１０には、前記リング挿入溝１００Bの傾斜接触面１００Cに対応する相対傾斜接触面１１０Aが形成され、ストッパー１３０には、ストッパー挿入溝３１２のテーパー３１２Aに対応するテーパー接触面１３１が形成されているのである。
【００１０】
このように構成された従来のストッパーを利用した水道管の連結方法は、固定ボルト３１１Aに対するナットの締付作業によってストッパー１３０とガスケット１２０及びゴムリング１１０が加圧され、前記ガスケット１２０及びゴムリング１１０による管継手１００と水道管２００の間の水密と気密がなり、ストッパー１３０は、内側に形成されたスパイク１３２が合成樹脂の材質から成った水道管２００と噛み合って固定されることによって、前記水道管２００が管の内部を流れる流体の圧力によって管継手１００から抜けて離脱されるのを防止するようにしている。
【００１１】
しかし、このような従来のストッパーを利用した水道管の連結方法は、連結初期には合成樹脂の材質で形成されている水道管が前記ストッパーのスパイクによって固定状態を維持することになるが、長時間経過後は、前記合成樹脂材質の水道管が管内部の流体圧力に耐え切れずに押し出されて抜けることによって、その機能を喪失することになるという問題点があった。
【発明の開示】
【発明が解決しようとする課題】
【００１２】
そこで、本発明は、前記のような従来の諸般問題点を解消するために創案されたもので、その目的は、合成樹脂がコーティングされた金属製の管継手に、合成樹脂材質の水道管がより堅固でありながら安定的に結合及び固定されることができるようにして、管内部を流れる流体の内部圧力によって合成樹脂材質の水道管が金属製の管継手から抜けて離脱されるのを持続的に防止できるようにすることにある。
【００１３】
また、本発明の目的は、管継手に締結及び固定されるクランプの内側に具備され、合成樹脂材質の水道管に直接的に接着されるストッパーに対する水道管の接着面積を増大させ、前記ストッパーに対する水道管の接着力及び固定力を向上させることができるようにすることにある。
【００１４】
また、本発明の目的は、前記ストッパーの内側面に塗布される接着剤が、ストッパーの内側面全体にかけて隅々塗布されることができるようにしながら、水道管に対するスパイク機能を兼ねることができるようにすることにある。
【００１５】
また、本発明の目的は、内側面に接着剤の塗布されたストッパーと水道管を相互密着するように接触させた時、ストッパーの内側に塗布された接着剤がより円滑に硬化され得るようにすることにある。
【００１６】
また、本発明の目的は、前記ストッパーが接着される水道管の接着部位に対するストッパーの接着力をより増大させることができるようにすることにある。
【課題を解決するための手段】
【００１７】
このような本発明の目的を達成するために、ゴムリング及びガスケットと共に具備され、クランプの締付力によって金属材質の管継手に挿入された合成樹脂材質の水道管を固定するストッパーが具備されるにおいて、前記ストッパーを水道管と同一な合成樹脂の材質で形成し、前記ストッパーの内側面に同一材質の水道管を接着剤で固定するようにしたことを特徴とするストッパーを利用した水道管の連結方法が提供される。
【００１８】
また、クランプの締付力によって金属材質の管継手に挿入された合成樹脂材質の水道管を固定するストッパーが具備されるにおいて、前記ストッパーをゴム材質で形成し、前記ストッパーの内側面に合成樹脂材質の水道管を接着剤で固定し、一側に管継手に挿入される同一直径の密閉部を一体に延長形成して、前記密閉部によって管継手と水道管の間の水密と気密機能を有するようにしたことを特徴とするストッパーを利用した水道管の連結方法が提供される。
【００１９】
また、前記ストッパーの内側面に接着される水道管の接着部位に、サンドペーパーによる粗面が形成されるようにしたことを特徴とする。
【００２０】
また、前記ストッパーは、一側に開放部を有し、水道管より多少小さな直径で形成され、内側の周縁部に沿って接着剤誘導溝を有する多数の接着突起が形成されていることを特徴とする。
【００２１】
また、前記接着突起は、山の形態の断面で形成され、山部と山部の間の谷部で接着剤誘導溝を形成していることを特徴とする。
【００２２】
また、前記ストッパーには、接着突起に対して直角を成す方向に接着剤誘導溝と連通する多数のエアー通路が内側の周縁部に間隔をおいて多数形成されていることを特徴とする。
【００２３】
また、前記ストッパーには、同一直径の拡大接着面が一側方向に延長形成されていることを特徴とする。
【発明の効果】
【００２４】
上述したように、本発明は、クランプに内蔵されたストッパーを水道管と同一な合成樹脂の材質で形成し、前記水道管をクランプの締付力と共にストッパーに接着剤で固定されるようにすることによって、管の内部を流れる流体の内部圧力に対して、より堅固に水道管を管継手に結合及び固定させることができるだけでなく、これによって連結管の耐久性向上と持続性及び安定性を確保することができるという効果を有することになる。
【００２５】
また、本発明は、水道管に対するストッパーの接触面積を拡大することによって、ストッパーに接着された水道管の接着力及び固定力の向上による水道管の押し出され現象なく、前記水道管をより堅固にストッパーに固定及び結合させることができるという効果がある。
【００２６】
また、本発明は、ストッパーの内側の周縁部に沿って多数の接着剤誘導溝を有する山の形態の断面から成る接着突起を形成することによって、前記接着剤誘導溝によって接着剤がストッパーの内側面全体にかけて隅々塗布されることができるだけでなく、接触突起がサンドペーパーによって形成された水道管の粗面に密着して接着されることによって、接着力の増大による管連結作業の耐久性及び信頼性の向上を図ることができるという効果を有することになる。
【００２７】
また、本発明は、ストッパーの接着剤誘導溝と連通されるように、前記ストッパーの内側面にエアー通路を形成することによって、内側面に接着剤の塗布されたストッパーと水道管を相互密着するように接着させた時、ストッパーの内側に塗布された接着剤がより円滑に硬化されることができるだけでなく、これによって作業の効率性及び簡便性を図ることができるという利点も有することになる。
【発明を実施するための最良の形態】
【００２８】
以下、添付の図面を参照して本発明の構成を実施例によって詳細に説明する。
【００２９】
図４及び図５は、本発明の一実施例による管継手と水道管の結合状態を示した断面図である。
【００３０】
通常、鋳鉄などの金属材質から成った管継手１００に合成樹脂材質の水道管２００を連結する場合は、クランプ３００が使用され、管継手１００と水道管２００の間の水密性および気密性確保のために、管継手１００の内部にゴムリング１１０およびガスケット１２０が具備され、クランプ３００の内部には水道管２００を直接固定するストッパー１が具備される。
【００３１】
そして、前記クランプ３００は、中央部に水道管２００が挿入貫通する水道管挿入ホール３１０Aを有し、外郭には管継手１００のフランジ部１００Aに引っ掛かって固定される固定段部３１１に一体に形成された固定ボルト３１１Aに締結される多数の締結孔３１０Bの形成されたクランプ胴体３１０から形成される。
【００３２】
また、前記管継手１００は、流体の流れに対向する方向に傾斜接触面１００Cを有するリング挿入溝１００Bを含み、前記クランプ胴体３１０の水道管挿入ホール３１０Aは、流体の流れの方向にテーパー３１２Aの形成されたストッパー挿入溝３１２を含むのだが、ゴムリング１１０には、前記リング挿入溝１００Bの傾斜接触面１００Cに対応する相対傾斜接触面１１０Aが形成され、ストッパー１には、ストッパー挿入溝３１２のテーパー３１２Aに対応するテーパー接触面１３１が形成される。
【００３３】
このような管継手と水道管及びクランプにおいて、本発明は、前記合成樹脂材質の水道管２００を管継手１００に連結する時、前記クランプ３００に内蔵されたストッパー１を水道管２００と同一な合成樹脂の材質で形成し、前記ストッパー１に水道管２００を接着剤で固定することを特徴とするものである。
【００３４】
この時、前記ストッパー１と水道管２００の間の接着力を高めるために、ストッパー１に接着される水道管２００の接着部位をサンドペーパーで擦って粗面７が形成されるようにし、ストッパー１の内側面に接着剤が隅々塗布されることができるように、ストッパー１には図７に図示されているように内側の周縁部に沿って接着剤誘導溝３を有する多数の接着突起４が形成される。
【００３５】
また、接着剤の塗布されたストッパー１が水道管２００の外側面に密着して接着されることができるように、ストッパー１は、図６に図示されているように、一側に開放部２を有し、その直径は水道管２００より多少小さな直径で形成され、前記接着突起４は、図７に図示されているように、山の形態の断面で形成して、水道管２００に対するスパイク機能と共に、端の部分が水道管２００の粗面７と共に潰れて接着されるようにすることによって、ストッパー１に対する水道管２００の接着力をより向上させることができるようにしたものである。
【００３６】
一方、通常の接着剤は液状でストッパー１の内側面に塗布され、空気との接触によって次第に硬化されながら相対物に対する接着がなされる特性上、本発明は、ストッパー１の内側の周縁部に沿って形成された接着突起４に対して直角を成す方向に接着剤誘導溝３と連通する多数のエアー通路５を形成し、ストッパー１と水道管２００との接触面積を拡大させるために、ストッパー１の一側方向に拡大接着面６を同一直径で形成した。
【００３７】
次は、本発明によるストッパーを利用した水道管の連結方法に対して詳細に説明する。
【００３８】
まず、作業者は、水道管２００の接着部位をサンドペーパーで擦って水道管２００の接着部位に粗面７を形成することになり、水道管２００と同一な合成樹脂の材質から成ったストッパー１の内側面に接着剤を塗布することになるのだが、この時接着剤は、ストッパー１の内側の周縁部に沿って形成された接着剤誘導溝３に沿って流れてストッパー１の内側面全体にかけて隅々塗布される。
【００３９】
その後、一側に開放部２の形成されたストッパー１を広げ、サンドペーパー処理された水道管２００の粗面７に位置させた後置くと、ストッパー１は、水道管より多少小さな直径で形成されており、その接着面に密着されるように接着が行われることになり、ストッパー１の内側面に塗布された接着剤は、接着剤誘導溝３と連通するエアー通路５を介して外部空気と接触することによって、硬化が円滑に行われることになる。
【００４０】
このように、ストッパー１に水道管２００が接着されたら、クランプ３００を利用してリング挿入溝１００Bに固定リング１１０及びガスケット１２０の挿入された管継手１００に水道管２００を連結することになるもので、その連結は、管継手１００のフランジ部１００Aに引っ掛かって固定された固定段部３１１の固定ボルト３１１Aの外側に、クランプ胴体３１０の締結孔３１０Bを挿入してナットで締めて固定することによってなるもので、この締付力によってストッパー１に加圧力が作用して、ストッパー１に形成された山の形態の断面から成った接着突起４の端の部分が水道管２００の粗面７に食い込んでいっしょに潰れて接着されることによって、その接着力が大きくなり、これによって水道管２００を管継手１００により堅固に連結及び固定することができるようになるのである。
【００４１】
図８及び図９は、本発明の他の実施例による水道管の結合状態を示した断面図である。
【００４２】
ここでの特徴は、管継手１００と水道管２００の間の水密性及び気密性確保のために、ストッパー１０と共に具備されるゴムリング１１０及びガスケット１２０なしに、ストッパー１０だけでも、ゴムリング１１０及びガスケット１２０による管継手１００と水道管２００の間の水密性及び機密性を確保することができるようにすることにある。
【００４３】
このために、本発明は、図１０に図示されているように、ストッパー１０に前記ゴムリング１１０及びガスケット１２０機能をする密閉部１６が一体に形成されるもので、前記密閉部１６は、既存のゴムリング１１０とガスケット１２０と同一な断面で管継手１００のリング挿入溝１００Bに挿入され、全体的にゴム材質で形成される。
【００４４】
また、本発明の一実施例のストッパーと同様に、一側に開放部１１が形成され、密閉部１６の他側部のストッパー１０の内側周縁部に沿って接着剤誘導溝１２を有する接着突起１３が形成され、前記接着突起１３に直角を成す方向に接着剤誘導溝１２と連通する多数のエアー通路１４がストッパー１０の内側周縁部に沿って間隔をおいて多数形成される。
【００４５】
そして、前記ストッパー１０は、密閉部１６の他側方向に同一直径の拡大接触面１５が形成され、前記拡大接触面１５の内側面も接着剤誘導溝１２を有する多数の接着突起１３が形成されるのだが、前記接着突起１３は、本発明の一実施例と同様に山の形態の断面構造を成す。
【００４６】
このように、本発明は、合成樹脂材質の水道管２００が接着固定されるストッパー１０に一体に密閉部１６を形成して、管継手１００のリング挿入溝１００Bに挿入されるようにし、全体的にゴム材質で形成することによって、本発明の一実施例のような別途のゴムリング１１０及びガスケット１２０なしで、管継手１００と水道管２００の間の水密性及び機密性を確保することができるだけでなく、部品数の減少による原価節減及び生産性向上を期待することができるという長所がある。
【００４７】
そして、前記ストッパー１を利用した水道管２００と管継手１００の結合及び固定過程に関しては、本発明の一実施例と同一なので、重複を避けるために具体的な説明は省略することにする。
【図面の簡単な説明】
【００４８】
【図１】一般的な水道管の連結状態を示した概略図である。
【図２】従来のストッパーを利用した水道管の連結状態を示したものであり、全体的な結合状態を示した断面図である。
【図３】従来のストッパーを利用した水道管の連結状態を示したものであり、図２の“ A”部の拡大分離断面図である。
【図４】本発明の一実施例を示したものであり、全体的な結合状態を示した断面図である。
【図５】本発明の一実施例を示したものであり、図４の“B”部の拡大分離断面図である。
【図６】本発明の一実施例に適用されたストッパーの構造を示した斜視図である。
【図７】図６の“C”部拡大図である。
【図８】本発明の他の実施例を示したものであり、全体的な結合状態を示した断面図である。
【図９】本発明の他の実施例を示したものであり、図８の“D”部の拡大分離断面図である。
【図１０】本発明の他の実施例に適用されたストッパーの構造を示した斜視図である。
【符号の説明】
【００４９】
１，１０：ストッパー
２，１１：開放部
３，１２：接着剤誘導溝
４，１３：接着突起
５，１４：エアー通路
６，１５：拡大接着面
１６：密閉部
１１０：ゴムリング
１２０：ガスケット
３００：クランプ
【図１】
2009156463.tif 000003
【図２】
2009156463.tif 000004
【図３】
2009156463.tif 000005
【図４】
2009156463.tif 000006
【図５】
2009156463.tif 000007
【図６】
2009156463.tif 000008
【図７】
2009156463.tif 000009
【図８】
2009156463.tif 000010
【図９】
2009156463.tif 000011
【図１０】
2009156463.tif 000012